(57)【要約】【課題】顧客の本来の要望に即した建物を設計することが可能になるとともに、設計に係る作業を進めやすくなるカードセットおよび建物の設計方法を提供することを目的とする。【解決手段】建物２および外構３を含む敷地全体の空間１における任意の箇所を設計する際に用いられ、顧客によって、顧客自身の要望に照らし合わせて適宜選択される複数種類のカードＣ（Ｃ１〜Ｃ５）を有するカードセットＳであって、複数種類のカードＣのそれぞれが、設計のヒントとなる提案が表示された提案表示部２２と、提案表示部２２の提案による効果が表示された効果表示部１１と、効果表示部１１の効果の属性が表示された属性表示部２３と、を備える。【選択図】図１
2017013401.tif 000002
【特許請求の範囲】
【請求項１】
建物および外構を含む敷地全体の空間における任意の箇所を設計する際に用いられ、顧客によって、顧客自身の要望に照らし合わせて適宜選択される複数種類のカードを有するカードセットであって、
前記複数種類のカードのそれぞれは、
設計のヒントとなる提案が表示された提案表示部と、
前記提案表示部の前記提案による効果が表示された効果表示部と、
前記効果表示部の前記効果の属性が表示された属性表示部と、を備えることを特徴とするカードセット。
【請求項２】
請求項１に記載のカードセットにおいて、
前記複数種類のカードそれぞれの表面に前記効果表示部が設けられ、裏面に前記提案表示部と前記属性表示部とが設けられていることを特徴とするカードセット。
【請求項３】
請求項１または２に記載のカードセットにおいて、
前記効果表示部には、前記提案による効果の見出しが記載された見出し欄と、前記提案による効果のイメージが描かれたイメージ欄と、が含まれていることを特徴とするカードセット。
【請求項４】
請求項１〜３のいずれか一項に記載のカードセットを用いた建物の設計方法であって、
顧客が、前記複数種類のカードの中から、前記効果表示部に表示された前記提案による効果に基づいて任意のカードを選択する工程と、
選択された前記カードを、前記属性表示部に表示された属性ごとに集計する工程と、を含むことを特徴とする建物の設計方法。
【請求項５】
請求項４に記載の建物の設計方法において、
前記選択されたカードを属性ごとに集計した後、必要に応じて、同属性間でカードを差し替えることを特徴とする建物の設計方法。
【請求項６】
請求項４に記載の建物の設計方法において、
前記選択されたカードを属性ごとに集計した後、必要に応じて、集計結果の属性ごとにカードを追加または削減することを特徴とする建物の設計方法。
【発明の詳細な説明】
【技術分野】
【０００１】
本発明は、カードセットおよび建物の設計方法に関する。
【背景技術】
【０００２】
特許文献１には、好ましい外構の例を写真撮影し、この写真に基づいてカードセットを作成し、このカードセットから選択したカードを利用して外構を設計したり、顧客に対して外構の提案を行ったりする手法について開示されている。
顧客に対して住宅の外構を提案する際には、まず、カードセットから外構を構成する部位毎にカードを選択して組み合わせた複数の好ましい外構パターンを作成する。続いて、外構パターン毎に全体見取り図を作成するとともに外構パターンの特徴となる項目を示す図面またはスケッチと、外構パターンの特徴となる項目の意図および効果と、が選択的に記載された外構図面を作成する。また同時に、在来の外構設計方法に基づいて設計した在来外構図面を作成する。そして、作成した外構図面と在来外構図面とを並べて提示することで、顧客に対して、両者を比較しつつ外構の基本構成を提案することができる。
【先行技術文献】
【特許文献】
【０００３】
【特許文献１】特開２００３−２９６４１号公報
【発明の概要】
【発明が解決しようとする課題】
【０００４】
ところで、顧客の提案に用いられるカードには好ましい外構の例として撮影された写真が掲載されており、顧客は、まず始めに完成した外構を見せられることになる。そのため、顧客が、本来の要望とは異なる設計の外構の提案に乗ってしまう場合も考えられ、顧客の本来の要望に合った外構を必ずしも設計できない場合があった。
このような事柄は、建物の外構や通常の住宅では特に問題とはならないが、例えば、幼稚園のような子供向けの施設や高齢者向けの施設、その他、特有の機能・役割を有する建物の場合は、極力、顧客の本来の要望に即した設計を行うことが重要となる。
また、特有の機能・役割を有する建物においては、顧客と設計者との間での話し合い・すり合わせ等の設計に係る作業に手間がかかるため、このような設計に係る作業の進めやすさも求められる。
【０００５】
本発明の課題は、顧客の本来の要望に即した建物を設計することが可能になるとともに、設計に係る作業を進めやすくなるカードセットおよび建物の設計方法を提供することを目的とする。
【課題を解決するための手段】
【０００６】
請求項１に記載の発明は、例えば図１〜図９に示すように、建物２および外構３を含む敷地全体の空間１における任意の箇所を設計する際に用いられ、顧客によって、顧客自身の要望に照らし合わせて適宜選択される複数種類のカードＣ（Ｃ１〜Ｃ５）を有するカードセットＳであって、
前記複数種類のカードＣのそれぞれは、
設計のヒントとなる提案が表示された提案表示部２２と、
前記提案表示部２２の前記提案による効果が表示された効果表示部１１と、
前記効果表示部１１の前記効果の属性が表示された属性表示部２３と、を備えることを特徴とする。
【０００７】
請求項１に記載の発明によれば、効果表示部１１に、提案表示部２２の提案による効果が表示されているので、顧客は、求める効果を視覚的・直感的に確認できる。したがって、複数種類のカードＣ（Ｃ１〜Ｃ５）の中から、顧客が、顧客自身の要望に照らし合わせてカードＣを適宜選択すれば、顧客の要望を容易かつ確実に抽出できるので、顧客の本来の要望に即した建物２を設計することが可能となる。
また、提案表示部２２には、設計のヒントとなる提案が表示されているので、顧客がカードＣを選択した時点で、顧客に対して設計のヒントを提示することができる。そのため、顧客がカードＣを選択した以降の設計に係る作業を進めやすくなる。
また、属性表示部２３には、効果表示部１１の効果の属性が表示されているので、複数種類のカードＣの中に、同じ属性で、かつ異なる提案が記載されたカードＣを用意しておけば、顧客が選択したカードＣと同属性で、かつ異なる提案が表示されたカードＣを提示することができる。すなわち、顧客に対して代替提案を容易に提示できるので、設計に係る作業を進めやすくなる。
【０００８】
請求項２に記載の発明は、例えば図１，図２，図５〜図９に示すように、請求項１に記載のカードセットＳにおいて、
前記複数種類のカードＣ（Ｃ１〜Ｃ５）それぞれの表面１０に前記効果表示部１１が設けられ、裏面２０に前記提案表示部２２と前記属性表示部２３とが設けられていることを特徴とする。
【０００９】
請求項２に記載の発明によれば、複数種類のカードＣ（Ｃ１〜Ｃ５）それぞれの表面１０に効果表示部１１が設けられているので、顧客は、複数種類のカードＣの表面１０だけを見ながら、自身の要望に即したカードＣを容易かつ確実に選択できる。
さらに、裏面２０に提案表示部２２と属性表示部２３とが設けられているので、表面１０だけを見ながら選択したカードＣを裏返すだけで、設計のヒントとなる提案と、その提案による効果の属性と、を容易に知ることができる。
【００１０】
請求項３に記載の発明は、例えば図１，図２，図５〜図９に示すように、請求項１または２に記載のカードセットＳにおいて、
前記効果表示部１１には、前記提案による効果の見出しが記載された見出し欄１２と、前記提案による効果のイメージが描かれたイメージ欄１３と、が含まれていることを特徴とする。
【００１１】
請求項３に記載の発明によれば、効果表示部１１には、提案による効果の見出しが記載された見出し欄１２と、提案による効果のイメージが描かれたイメージ欄１３と、が含まれているので、効果表示部１１を見ただけで、提案による効果の概要を的確に把握することができる。これによって、顧客は、自身の要望に即したカードＣを容易に選択できるので、設計に係る作業を進めやすくなる。
【００１２】
請求項４に記載の発明は、例えば図１〜図１１に示すように、請求項１〜３のいずれか一項に記載のカードセットＳを用いた建物２の設計方法であって、
顧客が、前記複数種類のカードＣ（Ｃ１〜Ｃ５）の中から、前記効果表示部１１に表示された前記提案による効果に基づいて任意のカードＣを選択する工程と、
選択された前記カードＣを、前記属性表示部２３に表示された属性ごとに集計する工程と、を含むことを特徴とする。
【００１３】
請求項４に記載の発明によれば、顧客が、複数種類のカードＣ（Ｃ１〜Ｃ５）の中から、効果表示部１１に表示された提案による効果に基づいて任意のカードＣを選択するので、複数種類のカードＣの中から、顧客が、顧客自身の要望に照らし合わせてカードＣを適宜選択すれば、顧客の要望を容易かつ確実に抽出できる。
さらに、選択されたカードＣを、属性表示部２３に表示された属性ごとに集計するので、設計者は、集計された属性のバランスを確認して、顧客が求める要望の傾向を把握することができる。
これによって、顧客の本来の要望に即した建物２を設計することが可能になるとともに、設計に係る作業を進めやすくなる。
【００１４】
請求項５に記載の発明は、例えば図１，図２，図５〜図９に示すように、請求項４に記載の建物２の設計方法において、
前記選択されたカードＣを属性ごとに集計した後、必要に応じて、同属性間でカードＣを差し替えることを特徴とする。
【００１５】
請求項５に記載の発明によれば、選択されたカードＣを属性ごとに集計した後、必要に応じて、同属性間でカードＣを差し替えるので、例えば敷地面積の制約や安全上の理由等により、提案表示部２２に表示された提案を実現できない場合に同属性間でカードＣを適宜差し替えて代替提案を行い、顧客が求める要望から逸脱しない設計を行うことができる。
【００１６】
請求項６に記載の発明は、例えば図１，図２，図５〜図９に示すように、請求項４に記載の建物２の設計方法において、
前記選択されたカードＣを属性ごとに集計した後、必要に応じて、集計結果の属性ごとにカードＣを追加または削減することを特徴とする。
【００１７】
請求項６に記載の発明によれば、選択されたカードＣを属性ごとに集計した後、必要に応じて、集計結果の属性ごとにカードＣを追加または削減するので、例えば特定の属性を伸ばしたい場合にカードＣを追加したり、属性間のバランスを重視した場合に属性ごとにカードＣを増減させたりして、集計結果を属性ごとに調整することができる。これによって、顧客の本来の要望を加味した上で臨機応変に建物の設計を行うことができる。
【発明の効果】
【００１８】
本発明によれば、顧客の本来の要望に即した建物を設計することが可能になるとともに、設計に係る作業を進めやすくなる。
【図面の簡単な説明】
【００１９】
【図１】カードセットおよびその使用方法を説明する図である。
【図２】カードの構成を説明する図である。
【図３】カードセットを用いて設計された建物の一例を示す図である。
【図４】属性表示部に表示される属性の一例を示す図である。
【図５】カードの具体例を説明する図である。
【図６】カードの具体例を説明する図である。
【図７】カードの具体例を説明する図である。
【図８】カードの具体例を説明する図である。
【図９】カードの具体例を説明する図である。
【図１０】建物の設計方法の一例を説明するフローチャートである。
【図１１】建物の設計方法の他の例を説明するフローチャートである。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１において符号Ｓは、カードセットを示す。このカードセットＳは、図３に示す建物２および外構３を含む敷地全体の空間１における任意の箇所を設計する際に用いられる複数種類のカードＣ（Ｃ１〜Ｃ５）を有する。つまり、このカードセットＳは、建物２の設計を支援するための道具・手段として用いられる。
複数種類のカードＣは、顧客によって、顧客自身の要望に照らし合わせて適宜選択されるものであり、建築される建物２のタイプに応じて異なるタイプのものが用意される。例えば、建物２が幼稚園の場合は、幼稚園設計用のカードＣが用意され、建物２が高齢者施設の場合は、高齢者施設設計用のカードＣが用意され、建物２が通常の住宅の場合には、住宅設計用のカードＣが用意される。
なお、建物２の設計は、設計者によって、顧客が選択したカードＣの情報に基づいて行われる。
【００２２】
建物２としては、上述のように様々なタイプのものが挙げられる。すなわち、幼稚園や保育園、学校等の教育・子育て施設を始め、高齢者施設、福祉施設、介護施設、スポーツ施設、公園、病院、各種公共施設、戸建て住宅、マンション、アパート等々、様々なタイプの施設や建築物が挙げられる。
本実施の形態における建物２は幼稚園であり、敷地全体の空間１内に、幼稚園の園舎である建物２が設けられている。また、屋外には、敷地全体の空間１内であって、かつ建物２の外部にある構造物や、この構造物によって形成されるスペースを指す外構３が設けられている。
したがって、本実施の形態におけるカードＣには幼稚園設計用のものが用意され、このような幼稚園設計用のカードＣを複数種類揃えたカードセットＳが用いられて建物２の設計が行われる。
【００２３】
複数種類のカードＣのそれぞれは、図１，図２に示すように、提案表示部２２と、効果表示部１１と、属性表示部２３と、概要表示部２１と、を備える。
各カードＣの表面１０に効果表示部１１が設けられている。また、各カードＣの裏面２０に、上から概要表示部２１と提案表示部２２と属性表示部２３とが並べて設けられている。
【００２４】
提案表示部２２は、設計のヒントとなる提案が表示される欄である。
また、効果表示部１１は、提案表示部２２の提案による効果が表示される欄である。
これら効果表示部１１と提案表示部２２は、カードＣの表面１０と裏面２０に表示され、その機能も表裏一体のものとなっている。すなわち、カードＣの表面１０に設けられた効果表示部１１には、上述のように提案表示部２２の提案による効果が表示されており、カードＣの裏面２０に設けられた提案表示部２２には、その効果が成立するためのキーワードが提案として表示されている。効果表示部１１を見た後に提案表示部２２を見れば、設計のヒントを得ることができ、提案表示部２２を見た後に効果表示部１１を見れば、提案による効果を確認することができる。
【００２５】
なお、効果表示部１１には、図１，図２に示すように、提案による効果の見出しが記載された見出し欄１２と、提案による効果のイメージが描かれたイメージ欄１３と、が含まれている。
見出し欄１２に記載される見出しは、提案による効果の内容が一目でわかる一行または二行程度の文章であり、多くとも１５〜２０文字程度の文字数で構成されることが望ましい。
イメージ欄１３に描かれるイメージは、見出し欄１２に記載された見出しを適切に表現した絵（図面・イラスト・漫画・ポンチ絵）であり、提案による効果の内容を直感的に理解し得る程度の表現であることが望ましい。
【００２６】
概要表示部２１は、効果表示部１１に表示された効果、すなわち見出し欄１２に記載された見出しの内容と、イメージ欄１３に描かれたイメージの内容を説明するための文章（概要）が表示される欄である。
また、この概要表示部２１に記載された説明の文章を読めば、設計対象箇所が、建物２の完工後にどのような場所になるかが容易に想像できる。
【００２７】
属性表示部２３は、効果表示部１１の効果の属性が表示される欄である。
ここで属性とは、各カードＣに表示された、それぞれ異なる内容の提案および効果に備わる特徴や機能を指している。また、その属性自体も、複数種類のカードＣが何用のカードであるかによって変わるものである。本実施形態の複数種類のカードＣは幼稚園設計用のものであり、その属性も、幼稚園設計用のものとなっている。
具体的に説明すると、図４に示す『８つの知性』と『５つの心』と題した合計１３個の要素が、幼稚園設計用のカードセットＳにおける属性である。
『８つの知性』とは、ハワード・ガードナー(Howard Gardner)が唱える理論（「多重知性論」）に基づくものであり、「１．時間的知性」、「２．自然科学的知性」、「３・言語的知性」、「４．理論数学的知性」、「５．空間的知性」、「６．芸術的知性」、「７．身体運動的知性」、「８．社会的知性」という、知性に係る８つの項目からなる。各項目の内容は、図４に記載の通りである。
『５つの心』とは、個人から社会に至る上で必要とされる心のありようを表すものであり、「Ａ．自尊心」、「Ｂ．自律心」、「Ｃ．探求心」、「Ｄ．向上心」、「Ｅ．公共心」という５つの項目からなる。自尊心とは、自己を尊重する気持ち・態度を示しており、自立心とは、自らの行動を一定の基準に則って制限したり推進したりする気持ち・態度を示す。探究心とは、物事の本質を見極めようとする気持ち・態度を示しており、自己の能力や性質等をより優れたものにしようとする気持ち・態度を示す。公共心とは、公共の利益のために尽くそうとする気持ち・態度を示す。
これら１３個の属性は、各カードＣに対して一つずつ、または適宜組み合わせて割り当てられている。本実施形態における属性は、『８つの知性』と『５つの心』という二種類の大きなカテゴリーに分けられているため、これら二種類の大きなカテゴリー双方の属性をカードＣに持たせてもよい。ただし、法制上必要な設備や安全上必要な設備、職務上必要な設備等の場合は属性を必ずしも割り当てる必要はない。
【００２８】
続いて、本実施形態における幼稚園設計用の情報が表示された複数種類のカードＣ（Ｃ１〜Ｃ５）の具体例について説明する。
【００２９】
図５に示すカードＣ１は、表面１０における効果表示部１１の見出し欄１２に「思いっきり走り回れる」という見出しが記載され、イメージ欄１３に「子供が走り回る様子」のイメージが描かれている。
裏面２０における概要表示部２１には、「思いっきり走れる広々とした場所」というように、効果表示部１１に表示された効果を説明するための文章（概要）が表示されている。
提案表示部２２には、設計のヒントとして、「障害物のない広い空間」、「長い廊下」、「滑らない床材」という文章が記載されている。すなわち、これらの文章に記載された事項が、効果表示部１１に表示された効果を成立させるためのキーワード、すなわち提案となっており、顧客は、この提案を見て、「子供たちが思いっきり走り回れる障害物のない空間や長い廊下」を容易に思い浮かべることができる。しかも、子供が滑って転倒しないような床材も必要であることを容易に認識することができる。
属性表示部２３には、「７．身体運動的知性」と記載されている。つまり、図５に示すカードＣ１の属性は、図４に示す『８つの知性』のうち「７．身体運動的知性」となっている（カードＣ１：属性「７」）。したがって、身体運動的知性を伸ばしたいという要望・理念を持った顧客がいれば、このカードＣ１は顧客によって選択される可能性が高い。
【００３０】
図６に示すカードＣ２は、表面１０における効果表示部１１の見出し欄１２に「みんなで集まって歌を歌う」という見出しが記載され、イメージ欄１３に「子供たち歌を歌う様子」のイメージが描かれている。
裏面２０における概要表示部２１には、「みんなで集まってピアノやオルガンを囲んで歌を歌う場所」というように、効果表示部１１に表示された効果を説明するための文章（概要）が表示されている。
提案表示部２２には、設計のヒントとして、「集まる場としてのしかけ（階段状の場、円形の空間など）」、「オルガンやピアノ」、「反響音への配慮」という文章が記載されている。すなわち、これらの文章に記載された事項が、効果表示部１１に表示された効果を成立させるためのキーワード、すなわち提案となっており、顧客は、この提案を見て、「子供たちが集まって歌を歌う場所」を容易に思い浮かべることができる。しかも、近隣への騒音対策が必要であることを容易に認識することができる。
属性表示部２３には、「６．芸術的知性」、「Ｅ．公共心」と記載されている。つまり、図６に示すカードＣ２の属性は、図４に示す『８つの知性』のうち「６．芸術的知性」および『５つの心』のうち「Ｅ．公共心」となっている（カードＣ２：属性「６」・「Ｅ」）。したがって、芸術的知性を伸ばしたい・公共心を育みたいという要望・理念を持った顧客がいれば、このカードＣ２は顧客によって選択される可能性が高い。
【００３１】
図７に示すカードＣ３は、表面１０における効果表示部１１の見出し欄１２に「シンボル（拠り処）がある」という見出しが記載され、イメージ欄１３に「子供がシンボルに集まる」イメージが描かれている。
裏面２０における概要表示部２１には、「室内の中央にはシンボルとなる装置があり活動の拠り所となっている」というように、効果表示部１１に表示された効果を説明するための文章（概要）が表示されている。
提案表示部２２には、設計のヒントとして、「シンボル（アート、大きな家具、樹木など）」、「記憶に残る場づくり」という文章が記載されている。すなわち、これらの文章に記載された事項が、効果表示部１１に表示された効果を成立させるためのキーワード、すなわち提案となっており、顧客は、この提案を見て、「子供たちがシンボルに集まる様子」を容易に思い浮かべることができる。
属性表示部２３には、「５．空間的知性」、「１．時間的知性」と記載されている。つまり、図６に示すカードＣ２の属性は、図４に示す『８つの知性』のうち「５．芸術的知性」、「１．時間的知性」となっている（カードＣ３：属性「５」・「１」）。したがって、空間的知性と時間的知性の少なくとも一方を伸ばしたいという要望・理念を持った顧客がいれば、このカードＣ３は顧客によって選択される可能性が高い。
【００３２】
図８に示すカードＣ４は、表面１０における効果表示部１１の見出し欄１２に「子どもたちが見える事務室」という見出しが記載され、イメージ欄１３に「大人が事務室から子供たちの様子を見る」イメージが描かれている。
裏面２０における概要表示部２１には、「子どもたちの姿を見ながら事務作業をすることができる」というように、効果表示部１１に表示された効果を説明するための文章（概要）が表示されている。
提案表示部２２には、設計のヒントとして、「子どもたちが見渡せる大きな窓」、「遮音性能は必要ない」という文章が記載されている。すなわち、これらの文章に記載された事項が、効果表示部１１に表示された効果を成立させるためのキーワード、すなわち提案となっており、顧客は、この提案を見て、「事務室の大きな窓から大人が子供たちを見る様子」を容易に思い浮かべることができる。しかも、遮音性能を持たせる必要がないことを容易に認識することができる。
このカードＣ４は、事務室の設計に係るものであるため、『８つの知性』、『５つの心』からなる属性を持たせる必要がない。そのため、属性表示部２３は空欄となっている（カードＣ４：属性なし）。
【００３３】
図９に示すカードＣ５は、表面１０における効果表示部１１の見出し欄１２に「眺めることができる」という見出しが記載され、イメージ欄１３に「子供が、窓から他の子供を見ている様子」のイメージが描かれている。
裏面２０における概要表示部２１には、「少し離れた場所で他の子どもたちが遊ぶのを眺めることができる場所」というように、効果表示部１１に表示された効果を説明するための文章（概要）が表示されている。
提案表示部２２には、設計のヒントとして、「眺めることができる窓」、「子どもの目線の窓」、「異年齢の子どもを眺めることができる」という文章が記載されている。すなわち、これらの文章に記載された事項が、効果表示部１１に表示された効果を成立させるためのキーワード、すなわち提案となっており、顧客は、この提案を見て、「子供用の窓から子供が他の子供が遊ぶのを見ている様子」を容易に思い浮かべることができる。
属性表示部２３には、「Ａ．自尊心」、「Ｂ．自律心」と記載されている。つまり、図９に示すカードＣ５の属性は、図４に示す『５つの心』のうち「Ａ．自尊心」、「Ｂ．自律心」となっている（カードＣ５：属性「Ａ」・「Ｂ」）。したがって、自尊心・自律心を育みたいという要望・理念を持った顧客がいれば、このカードＣ５は顧客によって選択される可能性が高い。
【００３４】
複数種類のカードＣとして、図５〜図９に示す五種類のもの（カードＣ１〜Ｃ５）を挙げたが、これに限られるものではない。
例えば、
「ごっこ遊びができる（属性「８」・「Ｅ」）」、
「プール遊び（属性「７」・「Ｄ」）」、
「秘密基地がある（属性「５」・「８」・「Ｅ」）」、
「内と外をつなぐ中間の場所（属性「５」・「１」）」、
「四季を感じるしかけがある（属性「２」・「６」）」、
「絵本を読む静かな場所（属性「Ａ」・「Ｂ」・「Ｃ」）」
など、様々な効果や提案、属性を持ったカードＣを用いて建物２の設計を行うことができる。実際には、数十枚、必要に応じてそれ以上の異なる種類のカードＣを用いて建物２の設計が行われる。
【００３５】
次に、以上のような構成の本実施形態におけるカードセットＳを用いた建物２の設計方法について説明する。
【００３６】
図１０は、建物２の設計方法の一例を説明するフローチャートである。図１０に示す設計方法では、まず、顧客がカードセットＳを手にして、複数種類のカードＣの中から、効果表示部１１に表示された提案による効果に基づいて任意のカードＣを選択する（ステップＳ１）。
より具体的に説明すると、顧客は、例えば図１に示すようなカードＣを束にしたカードセットＳを持って、複数種類のカードＣを順々に確認する。そして、複数種類のカードＣの中から自身の要望に即したカードＣを任意の枚数、抜き出していく。
ここで、上述の『８つの知性』、『５つの心』を具体的な空間設計に反映させた複数種類のカードＣによって顧客と設計者の“共通言語”が生まれる。
【００３７】
続いて、設計者が、顧客が選択したカードＣに基づいてプランの設計を行い、出来上がったプランを顧客に提案する（ステップＳ２）。ここで作成されたプランは所謂たたき台である。
顧客と設計者は、このたたき台に基づいてすり合わせ・ディスカッションを行う（ステップＳ３）。より具体的に説明すると、設計者は自身が作成したプランの意図を顧客に伝える。顧客（現場運営責任者が好ましい）は、幼稚園の運営方針および日々の活動における施設利用イメージを設計者に伝える。そして、双方の理念・方針のベクトル合わせを行う。
【００３８】
続いて、設計者がセルフアセスメントを行う（ステップＳ４）。つまり、顧客によって選択されたカードＣを、属性表示部２３に表示された属性ごとに集計して、選択されたカードＣに表された要素・情報を定量表現する（例えば、属性を同じくするカードＣの枚数をグラフ化するなど）。
そして、どういう点を重視して設計したかを見える化し、顧客側の方針が正しく反映されているかを自己採点しながら、顧客に再提案するプランを作成する。
また、選択されたカードＣを属性ごとに集計した後、必要に応じて、同属性間でカードを差し替えるようにしてもよい。すなわち、例えば敷地面積の制約や安全上の理由等により、提案表示部２２に表示された提案を実現できない場合に同属性間でカードＣを適宜差し替えて代替提案を行う。
また、選択されたカードＣを属性ごとに集計した後、必要に応じて、集計結果の属性ごとにカードＣを追加または削減してもよい。すなわち、例えば特定の属性を伸ばしたい場合にカードＣを追加したり、属性間のバランスを重視した場合に属性ごとにカードＣを増減させたりする。
【００３９】
続いて、設計者は、前工程で作成したプランを顧客に再提案する（ステップＳ５）。すなわち、セルフアセスメント結果をもとに顧客と設計者とでディスカッションし、強化したい要素等の見直しを行うなど、納得性の高いプランニングを行う。納得性の高いプランニングを行うために、再度、ステップＳ３に戻り、すり合わせを行うようにしてもよい（図１０に示すステップＳ５における「ＮＧ」の場合）。
なお、顧客と設計者とでディスカッションを重ねる段階で、上述のような同属性間でのカード差し替えや、集計結果の属性ごとにカードＣの増減を行ってもよい。また、このカード差し替えやカードＣの増減は、他のステップでも適宜行ってよい。
【００４０】
納得性の高いプランニングができて、再提案したプランが顧客に認められた後は、実際に建物２の施工を進めていく。
以上のようにして本実施形態におけるカードセットＳを用いて、建物２を設計することができる。
【００４１】
次に、図１０とは異なる建物２の設計方法について説明する。
すなわち、図１１は、図１０とは異なる設計方法の一例を説明するフローチャートである。図１１に示す設計方法では、まず、設計者が、顧客のヒアリングを行う（ステップＳ６）。ここでは、例えば予算等の基本条件や教育・保育方針の要望をヒアリングする。
【００４２】
続いて、設計者がヒアリングの内容と複数種類のカードＣの内容を元にした、たたき台となる建物２のプランを作成し、これを顧客に提案する（ステップＳ７）。この段階で、建物２の構造やスペック、デザイン等をある程度決めることができる。
また、設計者からプランを提案する際に、設計者がカードセットＳを使用して設計の意図を伝える。
【００４３】
続いて、顧客と設計者が、たたき台であるプランに基づいてすり合わせ・ディスカッションを行う（ステップＳ８）。
より具体的に説明すると、設計者は自身が作成したプランの意図を顧客に伝える。顧客（現場運営責任者が好ましい）は、幼稚園の運営方針および日々の活動における施設利用イメージを設計者に伝える。そして、双方の理念・方針のベクトル合わせを行う。
この時、顧客と設計者は、複数種類のカードＣを使用し、これら複数種類のカードＣを設計の“共通言語”としながら、すり合わせ・ディスカッションを行うものとする。
【００４４】
続いて、設計者がセルフアセスメントを行う（ステップＳ９）。このステップＳ９は、上述したステップＳ４と同様であるため説明を省略する。
続いて、設計者は、前工程（ステップＳ９）で作成したプランを顧客に再提案する（ステップＳ１０）。なお、このステップＳ１０も、上述したステップＳ５と同様であるため説明を省略する。
以上のようにして本実施形態におけるカードセットＳを用いて、建物２を設計することができる。
なお、図１１に示す設計方法においても、顧客と設計者とでディスカッションを重ねる段階で、上述のような同属性間でのカード差し替えや、集計結果の属性ごとにカードＣの増減を適宜行ってもよい。
【００４５】
図１０に示す施工方法と、図１１に示す施工方法との違いは、カードセットＳを使用するタイミングにある。
いずれにしても、顧客が、複数種類のカードＣの中から、効果表示部１１に表示された提案による効果に基づいて任意のカードＣを選択する工程（ステップＳ１，ステップＳ８）が含まれており、顧客の要望は、確実に設計に反映されることとなる。
また、選択されたカードＣを、属性表示部２３に表示された属性ごとに集計する工程（ステップＳ４，ステップＳ９）も含まれている。
【００４６】
なお、建物２の設計方法は、図１０，図１１に示すものだけではなく、本発明の趣旨を逸脱しない範囲で適宜変更可能である。
【００４７】
本実施の形態によれば、効果表示部１１に、提案表示部２２の提案による効果が表示されているので、顧客は、求める効果を視覚的・直感的に確認できる。したがって、複数種類のカードＣ（Ｃ１〜Ｃ５）の中から、顧客が、顧客自身の要望に照らし合わせてカードＣを適宜選択すれば、顧客の要望を容易かつ確実に抽出できるので、顧客の本来の要望に即した建物２を設計することが可能となる。
また、提案表示部２２には、設計のヒントとなる提案が表示されているので、顧客がカードＣを選択した時点で、顧客に対して設計のヒントを提示することができる。そのため、顧客がカードＣを選択した以降の設計に係る作業を進めやすくなる。
また、属性表示部２３には、効果表示部１１の効果の属性が表示されているので、複数種類のカードＣの中に、同じ属性で、かつ異なる提案が記載されたカードＣを用意しておけば、顧客が選択したカードＣと同属性で、かつ異なる提案が表示されたカードＣを提示することができる。すなわち、顧客に対して代替提案を容易に提示できるので、設計に係る作業を進めやすくなる。
【００４８】
また、複数種類のカードＣ（Ｃ１〜Ｃ５）それぞれの表面１０に効果表示部１１が設けられているので、顧客は、複数種類のカードＣの表面１０だけを見ながら、自身の要望に即したカードＣを容易かつ確実に選択できる。
さらに、裏面２０に提案表示部２２と属性表示部２３とが設けられているので、表面１０だけを見ながら選択したカードＣを裏返すだけで、設計のヒントとなる提案と、その提案による効果の属性と、を容易に知ることができる。
【００４９】
また、効果表示部１１には、提案による効果の見出しが記載された見出し欄１２と、提案による効果のイメージが描かれたイメージ欄１３と、が含まれているので、効果表示部１１を見ただけで、提案による効果の概要を的確に把握することができる。これによって、顧客は、自身の要望に即したカードＣを容易に選択できるので、設計に係る作業を進めやすくなる。
【００５０】
また、顧客が、複数種類のカードＣ（Ｃ１〜Ｃ５）の中から、効果表示部１１に表示された提案による効果に基づいて任意のカードＣを選択するので、複数種類のカードＣの中から、顧客が、顧客自身の要望に照らし合わせてカードＣを適宜選択すれば、顧客の要望を容易かつ確実に抽出できる。
さらに、選択されたカードＣを、属性表示部２３に表示された属性ごとに集計するので、設計者は、集計された属性のバランスを確認して、顧客が求める要望の傾向を把握することができる。
これによって、顧客の本来の要望に即した建物２を設計することが可能になるとともに、設計に係る作業を進めやすくなる。
【００５１】
また、選択されたカードＣを属性ごとに集計した後、必要に応じて、同属性間でカードＣを差し替えるので、例えば敷地面積の制約や安全上の理由等により、提案表示部２２に表示された提案を実現できない場合に同属性間でカードＣを適宜差し替えて代替提案を行い、顧客が求める要望から逸脱しない設計を行うことができる。
【００５２】
また、選択されたカードＣを属性ごとに集計した後、必要に応じて、集計結果の属性ごとにカードＣを追加または削減するので、例えば特定の属性を伸ばしたい場合にカードＣを追加したり、属性間のバランスを重視した場合に属性ごとにカードＣを増減させたりして、集計結果を属性ごとに調整することができる。これによって、顧客の本来の要望を加味した上で臨機応変に建物の設計を行うことができる。
【００５３】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００５４】
〔変形例１〕
顧客の要望を分析する際にコンピュータを利用し、その分析結果に基づいて建物２の設計を行ってもよい。
具体的に説明すると、複数種類のカードＣ（Ｃ１〜Ｃ５）のそれぞれには、ＩＣタグが設けられている。
ＩＣタグはＲＦＩＤ（Radio Frequency Identification）のＲＦタグである。つまり、ＩＣタグは、無線（非接触）で情報の読み書きが可能な記憶媒体である。このＩＣタグは小型の無線回路、制御回路および不揮発性のメモリー回路等を備える。
そして、ＩＣタグには、各カードＣの効果表示部１１、概要表示部２１、提案表示部２２、属性表示部２３に表示された情報が記録されている。
【００５５】
建物２の設計時には、ＩＣタグの情報を読み取るリーダーと、このリーダーと情報伝達可能なコンピュータと、が用いられる。
すなわち、顧客が選択したカードＣの情報をリーダーによって読み取り、その情報を用いて顧客の要望を分析することができる。
また、その分析結果に近い設計事例を、過去のデータの中から探し出して、設計者が設計の参考にしたり、顧客に提案したりすることができる。
なお、ＩＣタグに替えて、バーコードやＱＲコード(登録商標)等を用いてもよい。すなわち、カードＣに各情報を持たせる手段は適宜変更可能である。
【００５６】
〔変形例２〕
上述の実施形態では建物２として幼稚園を挙げたが、特有の機能・役割を有する建物である高齢者施設であってもよい。
この場合のカードセットＳは幼稚園設計用のものとは異なり、高齢者施設設計用のものが用いられる。この場合の属性としては、これに限られるものではないが、例えば、自助・互助・共助・公助・医療・看護・介護・リハビリ・保健・予防等、高齢者の生活や医療に係るテーマが挙げられる。
〔変形例３〕
上述の実施形態では建物２として幼稚園を挙げたが、特有の機能・役割を有する建物ではない一般の住宅であってもよい。
この場合のカードセットＳは幼稚園設計用のものとは異なり、住宅設計用のものが用いられる。この場合の属性としては、例えば、これに限られるものではないが、防犯・眺望・動線・おしゃれ・二世帯・育児・勉強・仕事・バリアフリー等、日常生活に係るテーマが挙げられる。
【符号の説明】
【００５７】
Ｓ  カードセット
Ｃ  カード
１  敷地全体の空間
２  建物
３  外構
１０  カード表面
１１  効果表示部
１２  見出し欄
１３  イメージ欄
２０  カード裏面
２１  概要表示部
２２  提案表示部
２３  属性表示部 
【図１】
2017013401.tif 000003
【図２】
2017013401.tif 000004
【図３】
2017013401.tif 000005
【図４】
2017013401.tif 000006
【図５】
2017013401.tif 000007
【図６】
2017013401.tif 000008
【図７】
2017013401.tif 000009
【図８】
2017013401.tif 000010
【図９】
2017013401.tif 000011
【図１０】
2017013401.tif 000012
【図１１】
2017013401.tif 000013